(57)【要約】【課題】  組み立て作業の簡易化を図ることができる便器用手すりを提供する。【解決手段】  手すり部５が設けられて便器２の左右両側に設置される左右一対の側枠３Ａ，３Ｂと、該左右一対の側枠３Ａ，３Ｂの間に差し渡される連結枠４と、を備える便器用手すり１であって、上記左右一対の側枠３Ａ，３Ｂのうちの少なくとも一方と、上記連結枠４と、の間には、該側枠３Ａ，３Ｂと該連結枠４とを仮に連結するべく、上記連結枠４の差し渡し方向と交差する方向へ伸びる突片２２と、該突片２２を係止する凹溝２５とを有する仮組手段が設けられている。【選択図】      図１
2015051083.tif 000002
【特許請求の範囲】
【請求項１】
手すり部が設けられて便器の左右両側に設置される左右一対の側枠と、該左右一対の側枠の間に差し渡される連結枠とを備える便器用手すりであって、
上記左右一対の側枠のうちの少なくとも一方と、上記連結枠と、の間には、該側枠と該連結枠とを仮に連結するべく、上記連結枠の差し渡し方向と交差する方向へ伸びる突片と、該突片を係止する凹溝とを有する仮組手段が設けられている
ことを特徴とする便器用手すり。
【請求項２】
更に、上記左右一対の側枠のうちの少なくとも一方と上記連結枠との間には、該側枠と該連結枠との間隔を広げるべくスペーサーが介装されるとともに、
上記スペーサーと、上記側枠及び上記連結枠のうちの少なくとも一方と、の間にもまた、該スペーサーを介して該側枠と該連結枠とを仮に連結するべく、上記突片と、上記凹溝とを有する仮組手段が設けられている
請求項１に記載の便器用手すり。
【請求項３】
上記突片又は上記凹溝のうち一方には、軸体が該突片と交差する方向へ伸びるように突設されており、
上記突片又は上記凹溝のうち他方には、挿し孔が上記軸体と対応する位置になるように透設されており、
上記挿し孔を上記凹溝の開口端縁又は該突片の先端縁で開口して該開口から斜め上方又は斜め下方へ伸びるように設け、該挿し孔の開口から内側へ上記軸体を挿入して引掛けることにより、上記突片を上記凹溝に係止した状態を維持するように構成した
請求項１又は請求項２に記載の便器用手すり。
【請求項４】
上記軸体の表面にはネジ溝が螺刻されており、上記挿し孔の内側に上記軸体を引掛けた状態で該軸体にナットを螺合することにより、上記側枠と上記連結枠とを連結固定する、又は、上記スペーサーを介して上記側枠と上記連結枠とを連結固定する、ように構成した
請求項３に記載の便器用手すり。
【請求項５】
上記突片及び上記凹溝のうち少なくとも一方には、挿し孔が透設されており、
上記突片あるいは上記凹溝からは軸体が、上記挿し孔に挿通されるように該突片と交差する方向へ突出されており、
上記軸体の表面にはネジ溝が螺刻され、上記挿し孔に上記軸体を挿通した状態で該軸体にナットが螺合されることにより、上記側枠と上記連結枠とを連結固定する、又は、上記スペーサーを介して上記側枠と上記連結枠とを連結固定する、ように構成した
請求項１又は請求項２に記載の便器用手すり。
【発明の詳細な説明】
【技術分野】
【０００１】
本発明は、既設の便器に後付けで手すり部を設けるべく使用される便器用手すりに関する。
【背景技術】
【０００２】
従来、高齢者や身障者が洋式トイレを使用する際の立ち座りを補助するために、既設の便器に後付けで取り付けられる便器用手すりが提供されている（例えば特許文献１から特許文献３）。通常、該便器用手すりは、便器の左右両側の対称位置に設置される左右一対の側枠と、該左右一対の側枠の間に差し渡される連結枠とを備えており、該左右一対の側枠の上部に手すり部が設けられた構成となっている。
一方、近時の洋式トイレとして、温水洗浄機能が付加されたものがあり、該温水洗浄機能を操作するための操作パネルは、便座の左右何れかの側方（概ね右側）に突出して設けられている。そして該洋式トイレに上記便器用手すりを設置する際には、左右一対の側枠を便器の左右両側の対称位置に設置しようとすると、便座の側方に突出して設けられた該操作パネルが邪魔になる場合がある。そこで側枠と連結枠との間に間隔拡大用部材（スペーサー）を介在させることで、操作パネルを避けて側枠を設置可能とした便器用手すりが提案されている（例えば特許文献４の図２４）。
【先行技術文献】
【特許文献】
【０００３】
【特許文献１】特開平１１−１１３８０２号公報
【特許文献２】特許第２９８１１８２号公報
【特許文献３】特許第４４９１３７４号公報
【特許文献４】特開２０１３−０７８４４７号公報
【発明の概要】
【発明が解決しようとする課題】
【０００４】
ところが、上記従来構成の便器用手すりは、側枠や連結枠、あるいはスペーサーに取付ねじを挿通させる取付穴を設け、それぞれの取付穴を位置合わせしたうえで、これら取付穴に取付ねじを挿通して螺着する構成とされている。従って、該便器用手すりの組み立て作業時には、側枠と連結枠とを手で支えながら取付穴の位置合わせをしつつ取付ねじを挿通し、更に該取付ねじの締め付け等も行わねばならず、スペースが狭小なトイレ室内での組み立て作業が煩雑になるという問題があった。特に、上記側枠と上記連結枠との間に間隔拡大用部材（スペーサー）を介在させる場合は、側枠と連結枠とに加えて、スペーサーまでも手で支えながら作業を行わねばならず、組み立て作業が更に煩雑なものになってしまう。
本発明は、このような従来技術に存在する問題点に着目してなされたものである。その目的とするところは、組み立て作業の簡易化を図ることができる便器用手すりを提供することにある。
【課題を解決するための手段】
【０００５】
上記従来の問題点を解決する手段として、請求項１に記載の便器用手すりの発明は、手すり部が設けられて便器の左右両側に設置される左右一対の側枠と、該左右一対の側枠の間に差し渡される連結枠とを備える便器用手すりであって、上記左右一対の側枠のうちの少なくとも一方と、上記連結枠と、の間には、該側枠と該連結枠とを仮に連結するべく、上記連結枠の差し渡し方向と交差する方向へ伸びる突片と、該突片を係止する凹溝とを有する仮組手段が設けられていることを要旨とする。
請求項２に記載の発明は、請求項１に記載の便器用手すりの発明において、更に、上記左右一対の側枠のうちの少なくとも一方と上記連結枠との間には、該側枠と該連結枠との間隔を広げるべくスペーサーが介装されるとともに、上記スペーサーと、上記側枠及び上記連結枠のうちの少なくとも一方と、の間にもまた、該スペーサーを介して該側枠と該連結枠とを仮に連結するべく、上記突片と、上記凹溝とを有する仮組手段が設けられていることを要旨とする。
請求項３に記載の発明は、請求項１又は請求項２に記載の便器用手すりの発明において、上記突片又は上記凹溝のうち一方には、軸体が該突片と交差する方向へ伸びるように突設されており、上記突片又は上記凹溝のうち他方には、挿し孔が上記軸体と対応する位置になるように透設されており、上記挿し孔を上記凹溝の開口端縁又は該突片の先端縁で開口して該開口から斜め上方又は斜め下方へ伸びるように設け、該挿し孔の開口から内側へ上記軸体を挿入して引掛けることにより、上記突片を上記凹溝に係止した状態を維持するように構成したことを要旨とする。
請求項４に記載の発明は、請求項３に記載の便器用手すりの発明において、上記軸体の表面にはネジ溝が螺刻されており、上記挿し孔の内側に上記軸体を引掛けた状態で該軸体にナットを螺合することにより、上記スペーサーを介して上記側枠と上記連結枠とを連結固定するように構成したことを要旨とする。
請求項５に記載の発明は、請求項１又は請求項２に記載の便器用手すりの発明において、上記突片及び上記凹溝のうち少なくとも一方には、挿し孔が透設されており、上記突片あるいは上記凹溝からは軸体が、上記挿し孔に挿通されるように該突片と交差する方向へ突出されており、上記軸体の表面にはネジ溝が螺刻され、上記挿し孔に上記軸体を挿通した状態で該軸体にナットが螺合されることにより、上記スペーサーを介して上記側枠と上記連結枠とを連結固定するように構成したことを要旨とする。
【発明の効果】
【０００６】
〔作用〕
本発明の便器用手すりにおいて、左右一対の側枠のうちの少なくとも一方と上記連結枠との間には、該側枠と該連結枠とを仮に連結するべく、突片と、該突片を係止する凹溝とを有する仮組手段が設けられている。該突片は、上記連結枠の差し渡し方向と交差する方向へ伸びているため、該突片が該凹溝に係止された状態とすることで、上記側枠と上記連結枠との仮の連結が不意に解除されることを抑制することができる。従って本発明の便器用手すりによれば、上記側枠と上記連結枠とを仮に連結することが出来るとともに、該連結を維持することが可能であり、組み立て作業の簡易化を図ることができる。
また本発明の便器用手すりにおいて、左右一対の側枠のうちの少なくとも一方と上記連結枠との間には、該側枠と該連結枠との間隔を広げるべくスペーサーが介装されてもよく、温水洗浄機能を操作する操作パネルが便座の側方に突出している洋式トイレであっても、該操作パネルを避けて該側枠を便器の側方に設置することができる。更に本発明の便器用手すりにあって、上記スペーサーと、上記側枠及び上記連結枠のうちの少なくとも一方との間には、上記側枠と上記連結枠との間に設けられたものと同様に、突片と凹溝とを有する仮組手段が設けられており、上記側枠と上記連結枠との間に上記スペーサーを介した状態としても、上記側枠と上記連結枠とを仮に連結し、また該仮の連結が不意に解除されることを抑制することができる。従って、上記スペーサーを介して上記側枠と上記連結枠とを仮に連結することが出来るとともに、該連結を維持することが可能であり、組み立て作業の更なる簡易化を図ることができる。
また上記突片又は上記凹溝のうち一方に軸体を、他方に挿し孔を該凹溝の開口端縁又は該突片の先端縁で開口して該開口から斜め上方又は斜め下方へ伸びるように設け、該挿し孔の開口から内側へ該軸体を挿入して引掛けるように構成することで、該突片の該凹溝への係止を簡単かつ確実に行うことができる。
また上記軸体の表面にネジ溝を螺刻し、上記挿し孔の内側に該軸体を引掛けた状態で該軸体にナットを螺合するように構成することにより、上記側枠と上記連結枠とを上記スペーサーを介して仮に連結した状態のままで、固定作業を行うことができる。
また上記突片又は上記凹溝のうち一方に挿し孔を、他方に軸体を該挿し孔に挿通されるように設け、該挿し孔に該軸体を挿通するのみで簡単に上記側枠と上記連結枠とを上記スペーサーを介して仮に連結した状態とすることができ、更に該軸体の表面にネジ溝を螺刻し、該挿し孔に該軸体が挿通された状態で該軸体にナットを螺合するように構成することで、該連結した状態のままで固定作業を行うことができる。
【０００７】
〔効果〕
本発明の便器用手すりによれば、側枠と連結枠とを仮に連結することができるため、組み立て作業の簡易化を図ることができる。
【図面の簡単な説明】
【０００８】
【図１】実施形態の便器用手すりを示す斜視図。
【図２】実施形態の便器用手すりを示す側面図。
【図３】右側枠を示す（ａ）は前側から見た斜視図、（ｂ）は後側から見た斜視図。
【図４】連結枠を示す斜視図。
【図５】スペーサーを示す（ａ）は前側から見た斜視図、（ｂ）は後側から見た斜視図。
【図６】右側枠にスペーサーを連結した状態を示す斜視図。
【図７】スペーサーを介して右側枠と連結枠とを仮に連結した状態を示す斜視図。
【発明を実施するための形態】
【０００９】
本発明の便器用手すりを具体化した一実施形態を図面に基づき説明する。
なお、以下の文中に示す方向は、特に説明の無い限り、便器に座った使用者から見た状体で、前方を前側、後方を後側、右方を右側、左方を左側とする。
＜便器用手すり＞
図１及び図２に示すように、便器用手すり１は、便器２の両側に設置される右側枠３Ａ及び左側枠３Ｂからなる左右一対の側枠３Ａ，３Ｂと、該左右一対の側枠３Ａ，３Ｂの間で左右方向に差し渡される連結枠４と、を備えている。また該左右一対の側枠３Ａ，３Ｂのそれぞれ上部には、手すり部５が設けられている。
上記連結枠４は、便器２の前部に当接される前枠部６と、該前枠部６を前記側枠３Ａ，３Ｂに連結するための連結部７とを有している。また該連結部７からは、左右一対の固定部材８が後方に向けて差し出されている。
そして上記便器用手すり１において、右側枠３Ａと連結枠４との間には、スペーサー９が介装されている。
【００１０】
＜側枠＞
図２及び図３（ａ），（ｂ）に示すように、左右一対の側枠３Ａ，３Ｂである右側枠３Ａ及び左側枠３Ｂは、前後に滑り止め用の脚ゴム１１ａがそれぞれ取り付けられた水平杆１１と、該水平杆１１の中央部から立設された管状の垂直杆１２とを有している。
側枠３Ａ，３Ｂの上部に設けられた手すり部５は、上記垂直杆１２の上部に上下摺動可能に挿着される挿着杆１３と、該挿着杆１３の上部に取り付けられた枢着基部１４と、該枢着基部１４の上側に取り付けられた肘掛け部１５とを有している。
上記肘掛け部１５は、枢着ピン１６を中心として枢着基部１４を上方に回動させることにより、使用者の手前側に跳ね上げ可能とされている。
上記手すり部５は、挿着杆１３に縦列して設けられた複数の孔１３ａの何れか１つと、垂直杆１２に設けられた孔（図示略）の位置を一致させ、それぞれの孔に調節ボルト１７を垂直杆１２の外側から挿通し、該調節ボルト１７を螺着して垂直杆１２に押し付けることで高さを調節することができる。
【００１１】
＜連結枠＞
図４に示すように、上記連結枠４において、前枠部６は、平面視で略Ｖ字状に形成されている。該形状とした前枠部６は、当接される便器２の前部の形状に応じた形状となり、また使用者が着座姿勢から立ち上がる際の足引きスペースを確保し、立ち上がり動作を容易に行うことができるようにしている。
上記前枠部６の左右両端からは、それぞれ連結部７が後方に向けて延設されている。該左右一対の連結部７は、該前枠部６と連続するように一体的に形成されている。該連結部７の内側には、取着部１８が形成されている。該取着部１８には、回動軸１８ａが形成されており、該回動軸１８ａに上記固定部材８が、該取着部１８に対して回動自在となるように取り付けられている。
上記固定部材８は、後部に滑り止めのためのグリップ８ａが取り付けられた円柱形状の棒部材からなる。上記連結部７の後部には押出ボルト１９が、後方から前方に向けて斜めに配置されるとともに、その先端部を上記固定部材８に接触させるように、螺着されている。そして、該押出ボルト１９を締め付けることにより、上記左右一対の固定部材８が上記便器の左右側部を左右後寄りから抱え込み、前枠部６の先端内側を便器２の前部に当接させることができる（図２参照）。
【００１２】
＜連結構造＞
上記左右一対の側枠３Ａ，３Ｂと、上記連結枠４と、を連結するべく、該左右一対の側枠３Ａ，３Ｂにはそれぞれ連結プレート２１が取り付けられており、該連結枠４の左右一対の連結部７にはそれぞれ連結具２４が取り付けられている。該連結プレート２１と該連結具２４とを係合して、固定することにより、左右一対の側枠３Ａ，３Ｂと連結枠４とが連結される。そして、上記連結プレート２１には突片２２が設けられ、上記連結具２４には凹溝２５が設けられており、これら突片２２及び凹溝２５が、上記側枠３Ａ，３Ｂと上記連結枠４とを仮に連結する仮組手段を構成している。
【００１３】
（連結プレート）
図３（ａ），（ｂ）に示すように、連結プレート２１は、四角板状に形成されており、上記左右一対の側枠３Ａ，３Ｂの垂直杆１２において中間部の内面上に取り付けられている。該連結プレート２１を、上記連結枠４の差し渡し方向である左右方向と交差する方向である前方へ伸びるように、該垂直杆１２よりも前方へ突出して配設することにより、該突出部分によって仮組手段を構成する突片２２が構成されている。
上記突片２２の前端部には、軸体２３が、該突片２２と交差する方向である右方向へ伸びるように、上下一対突設されている。また上下一対の該軸体２３の表面には、それぞれネジ溝が螺刻されている（図示略）。
【００１４】
（連結具）
図４に示すように、連結具２４は、板状体を平面視でＪ字状に曲げて形成されており、上記連結枠４において、連結部７の前部で外側面に取り付けられている。該連結金具２４にあっては、Ｊ字状に曲げた内側部分により、仮組手段を構成する凹溝２５が構成されている。
上記凹溝２５の外側となる側壁には、挿し孔２６が、上記突片２２に設けられた軸体２３と対応する位置になるように、上下一対透設されている。該挿し孔２６は、上記凹溝２５の開口端縁に開口２６ａが設けられるとともに、該開口２６ａから斜め上方へ伸びるように設けられている。
【００１５】
＜スペーサー＞
上記スペーサー９は、上記側枠３Ａ，３Ｂと上記連結枠４との間隔を広げるべく、該側枠３Ａ，３Ｂと連結枠４との間に介装されるものである。このため、該スペーサー９は、上記側枠３Ａ，３Ｂに取り付けられた連結プレート２１と、上記連結枠４に取り付けられた連結具２４との双方に対して連結可能に構成されている。
図５（ａ），（ｂ）に示すように、上記スペーサー９は、上記側枠３Ａ，３Ｂと連結する第１連結部９Ａと、上記連結枠４と連結する第２連結部９Ｂと、該第１連結部９Ａと該第２連結部９Ｂとの間を繋ぐ拡幅壁９Ｃと、を有している。
上記第１連結部９Ａは、板状体を平面視でＪ字状に曲げて形成されており、該Ｊ字状に曲げた内側部分によって構成された凹溝２５を有している。上記第２連結部９Ｂは、上記連結枠４の差し渡し方向である左右方向と交差する方向である前方へ伸びる四角板状をなしており、突片２２を構成している。これら凹溝２５及び突片２２は、上記スペーサー９を介して上記側枠３Ａ，３Ｂと上記連結枠４とを仮に連結する仮組手段を構成する。
上記拡幅壁９Ｃは、上記第１連結部９Ａの外側面から上記連結枠４の差し渡し方向である左右方向へ延設された四角板状をなし、一側端が上記第２連結部９Ｂの後端に繋がる構成とされている。また上記第１連結部９Ａの外側面と、上記拡幅壁９Ｃの一面（背面）との間には、補強体９Ｄが架設されており、上記スペーサー９の強度保持が図られている。
上記突片２２の前端部には、軸体２３が、該突片２２と交差する方向である右方向へ伸びるように、上下一対突設されている。また上下一対の該軸体２３の表面には、それぞれネジ溝が螺刻されている（図示略）。上記凹溝２５の外側となる側壁には、挿し孔２６が、上記突片２２に設けられた軸体２３と対応する位置になるように、上下一対透設されている。該挿し孔２６は、上記凹溝２５の開口端縁に開口２６ａが設けられるとともに、該開口２６ａから斜め上方へ伸びるように設けられている。
上記スペーサー９は、上記側枠３Ａ，３Ｂと連結する第１連結部９Ａが、上記連結枠４に取り付けられた連結具２４と略同様の構成とされ、上記連結枠４と連結する第２連結部９Ｂが、上記側枠３Ａ，３Ｂに取り付けられた連結プレート２１と略同様の構成とされている。そして、該第１連結部９Ａと該第２連結部９Ｂとの間を繋ぐ拡幅壁９Ｃの横幅寸法に応じて、上記側枠３Ａ，３Ｂと上記連結枠４との間隔が広がる。
【００１６】
＜組み立て方法＞
上記便器用手すり１を便器２に取り付けるべく組み立てる場合には、右側枠３Ａ及び左側枠３Ｂと、連結枠４と、を連結する。このとき、右側枠３Ａと連結枠４との間には、スペーサー９を介装する。
右側枠３Ａにスペーサー９を取り付ける場合、スペーサー９の第１連結部９Ａに設けられた凹溝２５の内側に、右側枠３Ａに取り付けられた連結プレート２１の突片２２を挿入する。また該突片２２を該凹溝２５の内側に挿入する際には、突片２２の軸体２３と、凹溝２５の挿し孔２６の開口２６ａとを位置合わせしておく。すると、該挿し孔２６が該開口２６ａから斜め上方へ伸びるように設けられていることから、該挿し孔２６の内周面を該軸体２３の周面に摺動させることにより、図６に示すように、スペーサー９は該挿し孔２６の内奥に該軸体２３を位置させるように案内され、該軸体２３が該挿し孔２６に引掛けられる。
連結枠４にスペーサー９を取り付ける場合、スペーサー９の第２連結部９Ｂに設けられた突片２２を、連結枠４の連結具２４に設けられた凹溝２５の内側に挿入する。該挿入の際には、突片２２の軸体２３と、凹溝２５の挿し孔２６の開口２６ａとを位置合わせしておくと、上記と同様にして、図７に示すように、スペーサー９は該挿し孔２６の内奥に該軸体２３が位置するように案内され、該軸体２３が該挿し孔２６に引掛けられる。
上記のようにして右側枠３Ａと連結枠４との間にスペーサー９を取り付けることで、仮組手段を構成する突片２２を凹溝２５の内側に挿入した状態で、該凹溝２５が該突片２２を係止することにより、該突片２２の伸びる方向と交差する方向、つまり右側枠３Ａと連結枠４とが相互に離隔する方向へ動くことを規制され、右側枠３Ａと連結枠４とが仮に連結される。更に該軸体２３が該挿し孔２６に引掛けられた状態で、該凹溝２５が該突片２２を係止した状態を維持することができる。
左側枠３Ｂと連結枠４との連結については、上記スペーサー９を介する場合と同様に、連結枠４の連結具２４に設けられた凹溝２５の内側に、連結プレート２１の突片２２を挿入し、該突片２２の軸体２３を該凹溝２５の挿し孔２６に引掛けることで、左側枠３Ｂと連結枠４とを仮に連結することができる。
上記のように左右一対の側枠３Ａ，３Ｂと、連結枠４と、を仮に連結した後は、手を離しても左右一対の側枠３Ａ，３Ｂと連結枠４とが連結された状態が保たれる。よって、両手を使って便器２に対する便器用手すり１の取り付け位置を調整あるいは確認したり、押出しボルト１９を操作して固定部材８を内側に回動させ、便器２の左右側部を固定部材８で左右後寄りから抱え込むとともに前枠部６の先端内側を便器２の前部に当接させたりすることができるようになる。そして、両手を使って上記軸体２３にナット（図示略）を螺合し、左右一対の側枠３Ａ，３Ｂと、連結枠４と、を連結固定することもできる。
なお、上記した組み立て方法は一例であって、特に組み立ての順序は限定されない。例えば、スペーサー９は連結枠４に取り付けた後で右側枠３Ａに取り付けてもよく、また左側枠３Ｂと連結枠４とを連結した後で右側枠３Ａと連結枠４とを連結してもよく、また左右一対の側枠３Ａ，３Ｂと連結枠４とを連結固定した後で固定部材８及び前枠部６によって便器用手すり１を便器２に固定してもよい。
【００１７】
＜変更例＞
本発明は、上記の実施形態に限定されるものではなく、以下のように変更してもよい。
上記軸体２３は、実施形態では突片２２から突設された構成としたが、例えば突片２２に挿通孔を設け、該挿通孔にボルトの軸部を挿通することにより、該ボルトの軸部を軸体２３としてもよい。
実施形態では、軸体２３の表面にネジ溝を螺刻し、挿し孔２６の内側に軸体２３を引掛けた状態で該軸体２３にナットを螺合することにより、スペーサー９を介して左右一対の側枠３Ａ，３Ｂと連結枠４とを連結固定するように構成したが、例えば軸体２３にＣリングを嵌着したり、抜け止めピンを挿着したりすることで、左右一対の側枠３Ａ，３Ｂと連結枠４とを連結固定するように構成してもよい。
実施形態では、突片２２に軸体２３を設け、凹溝２５に挿し孔２６を設けたが、凹溝２５の内側に軸体２３を架設し、突片２２に挿し孔２６を該突片２２の先端縁で開口して該開口から斜め上方又は斜め下方へ伸びるように設けて、該挿し孔２６の内側に該軸体２３を挿入して引掛けるように構成してもよい。
実施形態では、連結プレート２１を左右一対の側枠３Ａ，３Ｂに取り付けて突片２２を構成し、連結具２４を連結枠４に取り付けて凹溝２５を構成したが、例えば左右一対の側枠３Ａ，３Ｂに連結具２４を取り付けて凹溝２５を構成し、連結枠４に連結プレート２１を取り付けて突片２２を構成してもよい。
実施形態では、右側枠３Ａと連結枠４との間にのみスペーサー９を介装したが、左右一対の側枠３Ａ，３Ｂと連結枠４との間にそれぞれスペーサー９を介装してもよく、あるいは左側枠３Ｂと連結枠４との間にのみスペーサー９を介装してもよい。
【産業上の利用可能性】
【００１８】
本発明にあっては、スペーサーを介して側枠と連結枠とを仮に連結することができるため、組み立て作業の簡易化を図ることができるから、産業上の利用可能性がある。
【符号の説明】
【００１９】
１    便器用手すり
２    便器
３Ａ，３Ｂ  側枠
４    連結枠
５    手すり部
９    スペーサー
２２    突片
２３    軸体
２５    凹溝
２６      挿し孔
２６ａ  開口
【図１】
2015051083.tif 000003
【図２】
2015051083.tif 000004
【図３】
2015051083.tif 000005
【図４】
2015051083.tif 000006
【図５】
2015051083.tif 000007
【図６】
2015051083.tif 000008
【図７】
2015051083.tif 000009